(57)【要約】【課題】上段室とともに、下段室の圧力上昇を速やかに抑制する金属閉鎖形スイッチギヤを提供する。【解決手段】上下段に収納機器を収納する各室３ａ、３ｂ、３ｃを有する多段積みの金属閉鎖形スイッチギヤであって、上段の各室３ａ、３ｂ、３ｃの天井部には、天井開口部９ａ、９ｂ、９ｃと、この天井開口部９ａ、９ｂ、９ｃを塞ぐとともに、圧力上昇時に開放される天井フラッパ１０ａ、１０ｂ、１０ｃとを設け、下段の各室３ｄ、３ｅ、３ｆには、上段の室３ｂに流通する下段開口部１１ａ、１１ｂと、この下段開口部１１ａ、１１ｂを塞ぐとともに、圧力上昇時に開放される下段フラッパ１２ａ、１２ｂとを設けたことを特徴とする。【選択図】  図１
2014096882.tif 000002
【特許請求の範囲】
【請求項１】
上下段に収納機器を収納する各室を有する多段積みの金属閉鎖形スイッチギヤであって、
最上段の各室の天井部には、天井開口部と、
この天井開口部を塞ぐとともに、圧力上昇時に開放される天井フラッパとを設け、
前記最上段よりも下段の各室には、前記最上段に流通する下段開口部と、
この下段開口部を塞ぐとともに、圧力上昇時に開放される下段フラッパとを設けたことを特徴とする金属閉鎖形スイッチギヤ。
【請求項２】
上段遮断器室、上段ケーブル室、上段母線室を有する上段電気系統と、
前記上段電気系統の下段に位置する下段遮断器室、下段ケーブル室、下段母線室を有する下段電気系統で構成される金属閉鎖形スイッチギヤであって、
前記上段遮断器室、前記上段ケーブル室、前記上段母線室の天井部には、それぞれ天井開口部と、
これらの天井開口部をそれぞれ塞ぐとともに、圧力上昇時に開放される天井フラッパとを設け、
前記下段ケーブル室、前記下段母線室には、前記上段ケーブル室に流通する第１、第２の下段開口部と、
これらの下段開口部をそれぞれ塞ぐとともに、圧力上昇時に開放される第１、第２の下段フラッパとを設けたことを特徴とする金属閉鎖形スイッチギヤ。
【請求項３】
前記下段遮断器室に、前記下段母線室に流通する第３の下段開口部と、
この第３の下段開口部を塞ぐとともに、圧力上昇時に開放される第３の下段フラッパとを設けたことを特徴とする請求項２に記載の金属閉鎖形スイッチギヤ。
【請求項４】
前記第１、第２の下段フラッパが水平位置から回動を始めて垂直位置に達すると、その回動を阻止する第１、第２のストッパーをそれぞれ設けたことを特徴とする請求項２または請求項３に記載の金属閉鎖形スイッチギヤ。
【請求項５】
前記第１、第２の下段フラッパと前記第１、第２のストッパー間に、前記第１、第２の下段フラッパが回動するように付勢したバネをそれぞれ設けたことを特徴とする請求項４に記載の金属閉鎖形スイッチギヤ。
【請求項６】
前記天井開口部に、高温ガスを冷却する冷却フィンをそれぞれ設けたことを特徴とする請求項２乃至請求項５に記載の金属閉鎖形スイッチギヤ。
【発明の詳細な説明】
【技術分野】
【０００１】
本発明の実施形態は、多段積みスイッチギヤの放圧特性を向上し得る金属閉鎖形スイッチギヤに関する。
【背景技術】
【０００２】
従来、金属閉鎖スイッチギヤにおいては、アークが発生し内部圧力が上昇すると、天井部に設けた開口部から箱体外に高温ガスを放出し、変形や破損を防ぐものが知られている（例えば、特許文献１参照。）。また、遮断器など収納機器を上下の複数段に設けた多段積みにおいては、共通の放圧室を併設し、一旦、この放圧室に高温ガスを導き、天井部に設けた開口部から箱体外に高温ガスを放出するものが知られている（例えば、特許文献２参照。）。しかしながら、下段室では、放圧室を経由しての放圧のため、外部に放出されるまでに時間的ロスが生じ、変形や破損を生じることがある。このため、下段室の圧力上昇を速やかに抑制できるものが望まれていた。
【先行技術文献】
【特許文献】
【０００３】
【特許文献１】特開２０１２−１９６０４４号公報
【特許文献２】特開平１０−３２２８１１号公報
【発明の概要】
【発明が解決しようとする課題】
【０００４】
本発明が解決しようとする課題は、天井部に開口部を有する上段室とともに、上段室よりも下段にある下段室の圧力上昇を速やかに抑制する金属閉鎖形スイッチギヤを提供することにある。
【課題を解決するための手段】
【０００５】
上記課題を解決するために、実施形態の金属閉鎖形スイッチギヤは、上下段に収納機器を収納する各室を有する多段積みの金属閉鎖形スイッチギヤであって、最上段の各室の天井部には、天井開口部と、この天井開口部を塞ぐとともに、圧力上昇時に開放される天井フラッパとを設け、前記最上段よりも下段の各室には、前記最上段に流通する下段開口部と、この下段開口部を塞ぐとともに、圧力上昇時に開放される下段フラッパとを設けたことを特徴とする。
【図面の簡単な説明】
【０００６】
【図１】本発明の実施例１に係る金属閉鎖形スイッチギヤの構成を示す側面図。
【図２】本発明の実施例２に係る金属閉鎖形スイッチギヤの構成を示す側面図。
【図３】本発明の実施例３に係る金属閉鎖形スイッチギヤの構成を示す側面図。
【図４】本発明の実施例４に係る金属閉鎖形スイッチギヤの構成を示す側面図。
【図５】本発明の実施例５に係る金属閉鎖形スイッチギヤの構成を示す側面図。
【発明を実施するための形態】
【０００７】
以下、図面を参照して本発明の実施例を説明する。
【実施例１】
【０００８】
先ず、本発明の実施例１に係る金属閉鎖形スイッチギヤを図１を参照して説明する。図１は、本発明の実施例１に係る金属閉鎖形スイッチギヤの構成を示す側面図である。なお、多段積み金属閉鎖形スイッチギヤを二回線受電構成の二段積みを用いて説明する。
【０００９】
図１に示すように、正面板１ａ、天井板１ｂ、背面板１ｃ、床板１ｄを有する箱体１内は、図示上下方向の中間部を境として、上段電源系統２ａと下段電源系統２ｂに分かれて構成されている。
【００１０】
上段電源系統２ａは、正面側の上段遮断器室３ａ、背面側の上段ケーブル室３ｂ、背面側の上段母線室３ｃに分かれて構成されている。上段遮断器室３ａと、上段ケーブル室３ｂおよび上段母線室３ｃ間は、板状の第１の上段隔壁４ａで仕切られている。第１の上段隔壁４ａの中間部と天井板１ｂ間には、Ｌ字状の第２の上段隔壁４ｂが設けられ、上段ケーブル室３ｂと上段母線室３ｃに仕切られている。
【００１１】
下段電源系統２ｂは、正面側の下段遮断器室３ｄ、背面側の下段ケーブル室３ｅ、背面側の下段母線室３ｆに分かれて構成されている。下段遮断器室３ｄと、下段ケーブル室３ｅおよび下段母線室３ｆ間は、板状の第１の下段隔壁４ｃで仕切られている。第１の下段隔壁４ｃは、第１の上段隔壁４ａに連接されている。第１の下段隔壁４ｃの中間部と床板１ｄ間にはＬ字状の第２の下段隔壁４ｄが設けられ、第２の下段隔壁４ｄの上面と第１の下段隔壁４ｃ間にはＬ字状の第３の下段隔壁４ｅが設けられ、下段ケーブル室３ｅと下段母線室３ｆに仕切られている。上段遮断器室３ａと下段遮断器室３ｄ間は、中間板４ｆで仕切られている。なお、上段ケーブル室３ｂは、床面から天井面までの背面側全域に形成される。
【００１２】
上段遮断器室３ａには、上段遮断器５ａが収納され、上部導体が第１の上段隔壁４ａに固定された上段上部断路部６ａに接続されている。下部導体は、第１の上段隔壁４ａに固定された上段下部断路部６ｂに接続されている。上段ケーブル室３ｂの上段下部断路部６ｂには、図示しない電力ケーブルが接続されるＬ字状の上段主回路導体７ａが接続されている。上段母線室３ｃの上段上部断路部６ａには、隣接する盤へ接続する上段母線８ａが接続されている。
【００１３】
上段遮断器室３ａ、上段ケーブル室３ｂ、上段母線室３ｃの天井板１ｂには、それぞれ第１の天井開口部９ａ、第２の天井開口部９ｂ、第３の天井開口部９ｃが設けられ、これらの天井開口部９ａ、９ｂ、９ｃを塞ぐように第１の天井フラッパ１０ａ、第２の天井フラッパ１０ｂ、第３の天井フラッパ１０ｃが設けられている。第１〜第３の天井板フラッパ１０ａ、１０ｂ、１０ｃの一辺と天井板１ｂには、図示しないヒンジが設けられ、ヒンジを支点として第１〜第３の天井フラッパ１０ａ、１０ｂ、１０ｃが図示のように回動するようになっている。
【００１４】
下段遮断器室３ｄには、下段遮断器５ｂが収納され、上部導体が第１の下段隔壁４ｃに固定された下段上部断路部６ｃに接続されている。下部導体は、第１の下段隔壁４ｃに固定された下段下部断路部６ｄに接続されている。下段ケーブル室３ｅの下段下部断路部６ｄには、図示しない電力ケーブルが接続されるＬ字状の下段主回路導体７ｂが接続されている。下段母線室３ｆの下段上部断路部６ｃには、隣接する盤へ接続する下段母線８ｂが接続されている。
【００１５】
下段ケーブル室３ｅの第２の下段隔壁４ｄの上面には、第１の下段開口部１１ａが設けられ、第１の下段開口部１１ａを塞ぐように第１の下段フラッパ１２ａが設けられている。第１の下段フラッパ１２ａの一辺と第２の下段隔壁４ｄ間には、図示しないヒンジが設けられ、ヒンジを支点として第１の下段フラッパ１２ａが図示のように回動するようになっている。下段母線室３ｆの第３の下段隔壁４ｅの上面には、第２の下段開口部１１ｂが設けられ、第２の下段開口部１１ｂを塞ぐように第２の下段フラッパ１２ｂが設けられている。第２の下段フラッパ１２ｂの一辺と第３の下段隔壁４ｅ間には、図示しないヒンジが設けられ、ヒンジを支点として第２の下段フラッパ１２ｂが図示のように回動するようになっている。第１の下段開口部１１ａ、第２の下段開口部１１ｂは、上段ケーブル室３ｂに流通する。
【００１６】
これにより、例えば、下段ケーブル室３ｅでアークが発生し、内部圧力が上昇すると、直ちに第１の下段フラッパ１２ａが回動し、第１の下部開口部１１ａから上段ケーブル室３ｂに高温ガスを放出する。アークが継続し、上段ケーブル室３ｂの内部圧力が上昇すると、第３の天井フラッパ１０ｃが動作する。下段母線室３ｆでは、第２の下段フラッパ１２ｂが動作し、上段ケーブル室３ｂに高温ガスを放出する。このように、下段ケーブル室３ｅや下段母線室３ｆでアークが発生した場合、速やかに圧力上昇を抑制し、箱体１の変形や破損を防ぐことができる。なお、第１〜第３の天井フラッパ１０ａ、１０ｂ、１０ｃは、従来と同様なものであり、上段電源系統２ａでの圧力上昇を防ぐものとなる。また、従来のような放圧室が不要のため、設置面積や全体形状の縮小化を図ることができる。
【００１７】
上記実施例１の金属閉鎖形スイッチギヤによれば、箱体１の下段に位置する下段ケーブル室３ｅ、下段母線室３ｆに内部圧力の上昇で動作する第１の下段フラッパ１２ａ、第２の下段フラッパ１２ｂを設け、上段ケーブル室３ｂを介して箱体１外に高温ガスを放出するようにしているので、遮断器などの収納機器を収納する上段の各室３ａ、３ｂ、３ｃとともに、下段の各室３ｅ、３ｆの圧力上昇を速やかに抑制することができる。
【００１８】
上記実施例１では、二段積みで説明したが、三段積み以上の多段積みにおいても、最上段よりも下段に位置する各室にフラッパを設け、隣接する上段室に高温ガスを放出することで、下段室の圧力上昇を抑制することができる。最上段室では、天井部から高温ガスを箱体外に放出する。
【実施例２】
【００１９】
次に、本発明の実施例２に係る金属閉鎖形スイッチギヤを図２を参照して説明する。図２は、本発明の実施例２に係る金属閉鎖形スイッチギヤの構成を示す側面図である。なお、この実施例２が実施例１と異なる点は、下段遮断器室にフラッパを設けたことである。図２において、実施例１と同様の構成部分においては、同一符号を付し、その詳細な説明を省略する。
【００２０】
図２に示すように、第１の下段隔壁４ｃの上部には、第３の下段開口部１１ｃを設けられ、第３の下段開口部１１ｃを塞ぐように第３の下段フラッパ１２ｃが設けられている。第３の下段フラッパ１２ｃの一辺と第１の下段隔壁４ｃ間には、図示しないヒンジが設けられ、ヒンジを支点として第３の下段フラッパ１２ｃが図示のように回動するようになっている。第３の開口部１１ｃは、下段母線室３ｆに流通する。
【００２１】
上記実施例２の金属閉鎖形スイッチギヤによれば、実施例１による効果のほかに、下段遮断器室３ｄで内部圧力が上昇したとき、下段母線室３ｆ、上段ケーブル室３ｂを介して箱体１外に高温ガスを放出することができる。
【実施例３】
【００２２】
次に、本発明の実施例３に係る金属閉鎖形スイッチギヤを図３を参照して説明する。図３は、本発明の実施例３に係る金属閉鎖形スイッチギヤの構成を示す側面図である。なお、この実施例３が実施例２と異なる点は、下段フラッパにストッパーを設けたことである。図３において、実施例２と同様の構成部分においては、同一符号を付し、その詳細な説明を省略する。
【００２３】
図３に示すように、第１の下段フラッパ１２ａ、第２の下段フラッパ１２ｂのヒンジ側となる背面側に、第１、第２のストッパー１３ａ、１３ｂをそれぞれ設けている。これにより、第１、第２の下段フラッパ１２ａ、１２ｂは、図示のように水平位置から垂直位置まで回動すると、第１、第２のストッパー１３ａ、１３ｂで回動が阻止され、高温ガスの流れを天井側へ向かわせる。即ち、背面側への流れを阻止し、天井側へ導き、第３の天井フラッパ１０ｃの動作を容易とさせることができる。
【００２４】
上記実施例３の金属閉鎖形スイッチギヤによれば、実施例２による効果のほかに、高温ガスの流れを天井側に導くことができ、第３の天井フラッパ１０ｃを速やかに動作させることができる。
【実施例４】
【００２５】
次に、本発明の実施例４に係る金属閉鎖形スイッチギヤを図４を参照して説明する。図４は、本発明の実施例４に係る金属閉鎖形スイッチギヤの構成を示す側面図である。なお、この実施例４が実施例３と異なる点は、下段フラッパにバネを設けたことである。図４において、実施例３と同様の構成部分においては、同一符号を付し、その詳細な説明を省略する。
【００２６】
図４に示すように、第１、第２のストッパー１３ａ、１３ｂと第１、第２の下段フラッパ１２ａ、１２ｂ間には、第１、第２の下段フラッパ１２ａ、１２ｂを開くように付勢した第１、第２のバネ１４ａ、１４ｂを設けている。なお、ヒンジと対向する第１、第２の下段フラッパ１２ａ、１２ｂの辺には、例えばコ字状の係止金具を設けておき、内部圧力上昇時に第２、第３の下段隔壁４ｄ、４ｅの端辺から容易に外れるようにしている。
【００２７】
上記実施例４の金属閉鎖形スイッチギヤによれば、実施例３による効果のほかに、第１、第２の下段フラッパ１２ａ、１２ｂを短時間で動作させることができる。
【実施例５】
【００２８】
次に、本発明の実施例５に係る金属閉鎖形スイッチギヤを図５を参照して説明する。図５は、本発明の実施例５に係る金属閉鎖形スイッチギヤの構成を示す側面図である。なお、この実施例５が実施例４と異なる点は、天井開口部に冷却フィンを設けたことである。図５において、実施例４と同様の構成部分においては、同一符号を付し、その詳細な説明を省略する。
【００２９】
図５に示すように、第１〜第３の天井開口部９ａ〜９ｃには、金属薄板を櫛状に並べた第１〜第３の冷却フィン１５ａ〜１５ｃを設けている。
【００３０】
上記実施例５の金属閉鎖形スイッチギヤによれば、実施例４による効果のほかに、高温ガスが第１〜第３の冷却フィン１５ａ〜１５ｃを通過するとき、金属薄板を溶融し溶解熱として奪い、高温ガスを冷却することができる。
【００３１】
以上述べたような実施形態によれば、多段積みの金属閉鎖形スイッチギヤにおいて、収納機器を収納する上段の各室とともに、下段の各室の圧力上昇を抑制することができる。高温ガスは、上段、下段の各室とも天井側から放出するものである。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
１  箱体
３ａ  上段遮断器室
３ｂ  上段ケーブル室
３ｃ  上段母線室
３ｄ  下段遮断器室
３ｅ  下段ケーブル室
３ｆ  下段母線室
１０ａ  第１の天井フラッパ
１０ｂ  第２の天井フラッパ
１０ｃ  第３の天井フラッパ
１２ａ  第１の下段フラッパ
１２ｂ  第２の下段フラッパ
１２ｃ  第３の下段フラッパ
１３ａ、１３ｂ  ストッパー
１４ａ、１４ｂ  バネ
１５ａ、１５ｂ、１５ｃ  冷却フィン
【図１】
2014096882.tif 000003
【図２】
2014096882.tif 000004
【図３】
2014096882.tif 000005
【図４】
2014096882.tif 000006
【図５】
2014096882.tif 000007